(57)【特許請求の範囲】
【請求項１】
カラオケ装置と、携帯端末に処理を実行させるプログラムと、サーバ装置と、を備えるカラオケ管理システムにおいて、
カラオケ装置は、予約受付処理と、送信処理と、再生処理と、録音処理と、を実行可能とし、
予約受付処理は、ユーザにより指定された楽曲の楽曲識別情報と、楽曲を指定したユーザのユーザ識別情報とを含む予約情報を、予約テーブルに登録し、
送信処理は、予約テーブルを携帯端末に送信し、
再生処理は、予約テーブルに登録されている予約情報を読み出し、予約情報中の楽曲識別情報に対応する楽曲情報を再生し、
録音処理は、マイクロホンから入力される歌唱音声信号を録音し、予約情報に対応付けて録音情報を形成し、
プログラムは、受信処理と、指定処理と、撮像処理と、を携帯端末に実行させ、
受信処理は、カラオケ装置から予約テーブルを受信し、
指定処理は、予約テーブルに登録された予約情報の指定を受け付け、
撮像処理は、予約情報が指定された場合、撮像部で撮像された撮像情報を、指定された予約情報に含まれる情報に対応付けて記憶し、
カラオケ装置、プログラム、サーバ装置の何れかにおいて、映像作品形成処理を実行可能とし、
映像作品形成処理は、予約情報に対応する録音情報と、当該予約情報に対応する撮像情報とを対応付けることで、映像作品情報を形成する
カラオケ管理システム。
【請求項２】
プログラムは、指定処理により指定された予約情報をカラオケ装置に通知する通知処理を携帯端末に実行させ、
録音処理は、通知処理により通知された予約情報に対応する再生処理の開始に伴い実行される
請求項１に記載のカラオケ管理システム。
【請求項３】
プログラムは、指定処理により指定された予約情報に対応する再生処理が開始する前に、ユーザに対して通知する通知処理を実行する
請求項１または請求項２に記載のカラオケ管理システム。
【請求項４】
プログラムは、指定処理により指定された予約情報に対応する再生処理が開始する前に、撮像処理を実行するための撮像機能を起動する
請求項１から請求項３の何れか１項に記載のカラオケ管理システム。
【請求項５】
撮像処理は、指定処理により指定された予約情報に対応する再生処理に同期して実行される
請求項１から請求項４の何れか１項に記載のカラオケ管理システム。
【請求項６】
指定処理は、予約テーブル中の予約情報に含まれるユーザ識別情報と、指定処理が実行される携帯端末に対応するユーザ識別情報とが一致する場合、予約情報の指定を制御する
請求項１から請求項５の何れか１項に記載のカラオケ管理システム。
【請求項７】
予約受付処理は、指定処理により指定されることを禁止する禁止情報を、予約情報に含ませて予約テーブルに登録し、
指定処理は、禁止情報が含まれる予約情報の指定を禁止する
請求項１から請求項６の何れか１項に記載のカラオケ管理システム。
【請求項８】
予約受付処理は、指定処理により指定されることを要求する要求情報を、予約情報に含ませて予約テーブルに登録し、
指定処理は、要求情報が含まれる予約情報の指定を制御する
請求項１から請求項７の何れか１項に記載のカラオケ管理システム。
【請求項９】
カラオケ装置と通信可能な携帯端末において実行されるプログラムであって、
ユーザにより指定された楽曲の楽曲識別情報と、楽曲を指定したユーザのユーザ識別情報とを含む予約情報が登録された予約テーブルを受信する第１受信ステップと、
予約テーブルに登録された予約情報の指定を受け付ける指定ステップと、
予約情報が指定された場合、撮像部で撮像された撮像情報を、指定された予約情報に含まれる情報に対応付けて記憶する撮像ステップと、
マイクロホンから入力された歌唱音声信号が録音されて形成された録音情報であって、予約情報に対応付けて記憶された録音情報をカラオケ装置から受信する第２受信ステップと、
予約情報に対応する録音情報と、当該予約情報に対応する撮像情報とを対応付けることで、映像作品情報を形成する形成ステップと、を携帯端末に実行させる
プログラム。
【請求項１０】
携帯端末と通信可能なカラオケシステムであって、
ユーザにより指定された楽曲の楽曲識別情報と、楽曲を指定したユーザのユーザ識別情報とを含む予約情報を、予約テーブルに登録する予約受付手段と、
予約テーブルを携帯端末に送信する送信手段と、
予約テーブルに登録されている予約情報を読み出し、予約情報中の楽曲識別情報に対応する楽曲情報を再生する再生手段と、
マイクロホンから入力される歌唱音声信号を録音して、予約情報に対応付けて録音情報を形成する形成手段と、
携帯端末で撮像された情報であって、予約テーブルに登録された予約情報に含まれる情報に対応付いた撮像情報を受信する受信手段と、
予約情報に対応する録音情報と、当該予約情報に対応する撮像情報とを対応付けることで、映像作品情報を形成する形成手段と、を備える
カラオケシステム。
【発明の詳細な説明】
【技術分野】
【０００１】
本発明は、歌唱を楽しむためのカラオケ装置、及び、カラオケ装置とネットワークで接続されたサーバ装置、及び、携帯端末にて実行可能なプログラムを備えたカラオケ管理システム、及び、携帯端末で実行可能なプログラム、及び、カラオケ装置を含んで構成されるカラオケシステムに関する。
【背景技術】
【０００２】
伴奏に合わせて歌唱を楽しむカラオケ装置では、伴奏機能に加え各種機能が搭載されている。近年では、カメラによる撮像を使用し撮像を行い、インターネット上で歌唱の様子を公開する投稿機能を備えたカラオケ装置もある。特許文献１、２には、このようなカメラによる撮像を行う各種カラオケシステムが開示されている。
【０００３】
特許文献１に、歌唱時の歌唱者を映像として撮影し、カラオケ利用者による予約楽曲の選曲情報及び選曲情報に付随して所定タイミングで指定される歌唱映像の撮影有無情報を予約待ち行列のカラムに順次記憶して管理し、予約楽曲が演奏される際、撮影有無情報が撮影指定の場合に演奏開始から終了まで撮影手段を稼働させ、撮影手段からの映像データを取得して、録画データ記憶部に記憶することで、総ての楽曲に対して演奏開始から終了まで自動的に映像録画する予約録画を可能とするカラオケシステムが開示されている。
【０００４】
特許文献２には、カラオケ端末装置から送信された映像データ及び音声データ、並びに歌唱の音声を異なる複数の再生時点で評価した評価結果を受信し、受信した映像データ、音声データ及び評価結果を複数組、対応付けて記憶し、歌唱の各音声データに対する評価結果に応じて、各映像データに係る一の音声データを選択的に再生するカラオケコンテンツデータを視聴可能に公開するカラオケシステムが開示されている。
【先行技術文献】
【特許文献】
【０００５】
【特許文献１】特開２００８−１３９３７４号公報
【特許文献２】特開２０１１−５９６２０号公報
【発明の概要】
【発明が解決しようとする課題】
【０００６】
特許文献１、２に開示されているように、カラオケ装置において撮像する場合、カラオケ装置に接続されたカメラを使用することが通常である。カメラは店舗側で設置したものであるため、所定の位置に固定されており、撮影位置や撮像アングル等を選択することはできない。また、撮像機能を有していない機種、あるいは、撮像機能は有しているが、店舗の都合上、カメラが接続されていないカラオケ装置がある。従来、このようなカラオケ装置では、歌唱の様子を撮影し、視聴するサービスを利用することはできなかった。
【０００７】
本発明は、このような状況を鑑みたものであり、カラオケの歌唱映像の撮像にユーザが所持する携帯端末を使用することで、カラオケ装置が撮像にかかる機能を有していなくとも、容易にカラオケ歌唱の映像作品を形成することを目的とする。
【課題を解決するための手段】
【０００８】
そのため、本発明に係るカラオケ管理システムは、
カラオケ装置と、携帯端末に処理を実行させるプログラムと、サーバ装置と、を備えるカラオケ管理システムにおいて、
カラオケ装置は、予約受付処理と、送信処理と、再生処理と、録音処理と、を実行可能とし、
予約受付処理は、ユーザにより指定された楽曲の楽曲識別情報と、楽曲を指定したユーザのユーザ識別情報とを含む予約情報を、予約テーブルに登録し、
送信処理は、予約テーブルを携帯端末に送信し、
再生処理は、予約テーブルに登録されている予約情報を読み出し、予約情報中の楽曲識別情報に対応する楽曲情報を再生し、
録音処理は、マイクロホンから入力される歌唱音声信号を録音し、予約情報に対応付けて録音情報を形成し、
プログラムは、受信処理と、指定処理と、撮像処理と、を携帯端末に実行させ、
受信処理は、カラオケ装置から予約テーブルを受信し、
指定処理は、予約テーブルに登録された予約情報の指定を受け付け、
撮像処理は、予約情報が指定された場合、撮像部で撮像された撮像情報を、指定された予約情報に含まれる情報に対応付けて記憶し、
カラオケ装置、プログラム、サーバ装置の何れかにおいて、映像作品形成処理を実行可能とし、
映像作品形成処理は、予約情報に対応する録音情報と、当該予約情報に対応する撮像情報とを対応付けることで、映像作品情報を形成する。
【０００９】
さらに、本発明に係るカラオケ管理システムにおいて、
プログラムは、指定処理により指定された予約情報をカラオケ装置に通知する通知処理を携帯端末に実行させ、
録音処理は、通知処理により通知された予約情報に対応する再生処理の開始に伴い実行される。
【００１０】
さらに、本発明に係るカラオケ管理システムにおいて、
プログラムは、指定処理により指定された予約情報に対応する再生処理が開始する前に、ユーザに対して通知する通知処理を実行する。
【００１１】
さらに、本発明に係るカラオケ管理システムにおいて、
プログラムは、指定処理により指定された予約情報に対応する再生処理が開始する前に、撮像処理を実行するための撮像機能を起動する。
【００１２】
さらに、本発明に係るカラオケ管理システムにおいて、
撮像処理は、指定処理により指定された予約情報に対応する再生処理に同期して実行される。
【００１３】
さらに、本発明に係るカラオケ管理システムにおいて、
指定処理は、予約テーブル中の予約情報に含まれるユーザ識別情報と、指定処理が実行される携帯端末に対応するユーザ識別情報とが一致する場合、予約情報の指定を制御する。
【００１４】
さらに、本発明に係るカラオケ管理システムにおいて、
予約受付処理は、指定処理により指定されることを禁止する禁止情報を、予約情報に含ませて予約テーブルに登録し、
指定処理は、禁止情報が含まれる予約情報の指定を禁止する。
【００１５】
さらに、本発明に係るカラオケ管理システムにおいて、
予約受付処理は、指定処理により指定されることを要求する要求情報を、予約情報に含ませて予約テーブルに登録し、
指定処理は、要求情報が含まれる予約情報の指定を制御する。
【００１６】
また、本発明に係るプログラムは、
カラオケ装置と通信可能な携帯端末において実行されるプログラムであって、
ユーザにより指定された楽曲の楽曲識別情報と、楽曲を指定したユーザのユーザ識別情報とを含む予約情報が登録された予約テーブルを受信する第１受信ステップと、
予約テーブルに登録された予約情報の指定を受け付ける指定ステップと、
予約情報が指定された場合、撮像部で撮像された撮像情報を、指定された予約情報に含まれる情報に対応付けて記憶する撮像ステップと、
マイクロホンから入力された歌唱音声信号が録音されて形成された録音情報であって、予約情報に対応付けて記憶された録音情報をカラオケ装置から受信する第２受信ステップと、
予約情報に対応する録音情報と、当該予約情報に対応する撮像情報とを対応付けることで、映像作品情報を形成する形成ステップと、を携帯端末に実行させる。
【００１７】
また、本発明に係るカラオケシステムは、
携帯端末と通信可能なカラオケシステムであって、
ユーザにより指定された楽曲の楽曲識別情報と、楽曲を指定したユーザのユーザ識別情報とを含む予約情報を、予約テーブルに登録する予約受付手段と、
予約テーブルを携帯端末に送信する送信手段と、
予約テーブルに登録されている予約情報を読み出し、予約情報中の楽曲識別情報に対応する楽曲情報を再生する再生手段と、
マイクロホンから入力される歌唱音声信号を録音して、予約情報に対応付けて録音情報を形成する形成手段と、
携帯端末で撮像された情報であって、予約テーブルに登録された予約情報に含まれる情報に対応付いた撮像情報を受信する受信手段と、
予約情報に対応する録音情報と、当該予約情報に対応する撮像情報とを対応付けることで、映像作品情報を形成する形成手段と、を備える。
【発明の効果】
【００１８】
本発明に係るカラオケ管理システムによれば、本実施形態では、ユーザが所持する携帯端末を使用して撮像を行うことで、自由な撮像アングルで撮像することを可能としている。また、カメラが接続されていないカラオケ装置であっても、ユーザの所持する携帯端末のカメラを使用することで、カラオケを楽しむ映像を含んだ映像作品情報として残し、投稿サービスなど、映像作品情報を視聴する各種サービスに使用することが可能となる。
【００１９】
さらに、本実施形態では、携帯端末で撮像された撮像情報と、カラオケ装置でユーザの歌唱音声信号を録音した得られた録音情報を対応付けることで映像作品情報を形成することとしている。ここで、録音情報は、カラオケ装置において、マイクロホンから入力された歌唱音声信号であるため、高音質なものとすることが可能である。以上のように、本発明では、携帯端末を使用して自由度の高い撮像アングル等で撮像された撮像情報、及び、カラオケ装置で録音された高音質な録音情報を組み合わせた品質の高い映像作品情報を形成することが可能となっている。
【図面の簡単な説明】
【００２０】
【図１】カラオケシステムの構成を示す図
【図２】携帯端末の構成を示す図
【図３】カラオケ管理システムにおける対応付け処理を示すフロー図
【図４】カラオケ管理システムにおける対応付け処理を示す模式図
【図５】カラオケ管理システムにおける遠隔操作処理を示すフロー図
【図６】カラオケ管理システムにおける遠隔操作処理を示す模式図
【図７】携帯端末に表示された楽曲確認画面を示す図
【図８】リモコン装置に表示された楽曲確認画面を示す図
【図９】カラオケ装置にて管理する予約テーブルを示す図
【図１０】携帯端末で実行される撮像して位処理を示すフロー図
【図１１】携帯端末に表示された予約一覧画面を示す図
【図１２】カラオケ装置で実行される楽曲再生処理を示すフロー図
【図１３】携帯端末で実行される撮像処理を示すフロー図
【図１４】携帯撮像情報、カラオケ録音情報のデータ構成を示す図
【図１５】携帯端末に表示された撮像画面を示す図
【図１６】携帯端末で実行される映像作品形成処理を示すフロー図
【図１７】映像作品形成処理について説明するための模式図
【図１８】他の実施形態の映像作品形成処理について説明するための図
【図１９】映像作品情報の各種形態を示す図
【発明を実施するための形態】
【００２１】
図１は、本発明の実施形態に係るカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳表示、映像効果等を実行する映像制御部３１を備えている。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２６】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２７】
このような構成にてカラオケ装置２は、各種処理を実行することとなるが、カラオケ装置２の主な機能として、楽曲指定処理、再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２８】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２９】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３０】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３１】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指令は、対応付けされたカラオケ装置２にて受信されることとなる。
【００３２】
次に、本発明においてユーザが所持する携帯端末６について説明する。図２は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００３３】
本実施形態の携帯端末６は、制御部６１、ＲＡＭ６２、記憶部６３、画像処理部６４、音響処理部６６を含んで構成された制御手段を有している。記憶部６３には、ハードディスク、ＮＡＮＤ型フラッシュメモリ等の不揮発性の記憶手段を採用することが可能である。この記憶部６３には、本実施形態における投稿処理を実行可能なプログラム、そして、当該プログラムで使用する各種データが記憶される。
【００３４】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００３５】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３６】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３７】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３８】
本実施形態の携帯端末６は、外部と通信を行うため、携帯網通信部６９ａと、無線ＬＡＮ通信部６９ｂを備えている。携帯網通信部６９ａは、携帯無線網を介した無線通信を行うことが可能であり、無線基地局と無線通信することで、通話、あるいは、インターネットを使用した通信を行うことが可能である。無線ＬＡＮ通信部６９ｂは、ＬＡＮ上に接続されたアクセスポイントに無線接続することで無線ＬＡＮ通信を行うことが可能である。アクセスポイントに無線接続することで、ＬＡＮ上のネットワーク、あるいは、インターネットに通信接続することが可能である。
【００３９】
携帯端末６は、このような携帯網通信部６９ａ、あるいは、無線ＬＡＮ通信部６９ｂを使用して、インターネット上のサーバから投稿処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。なお、このような携帯網通信部６９ａ、無線ＬＡＮ通信部６９ｂ以外に、近距離通信手段（赤外線通信、Ｂｌｕｅｔｏｏｔｈ（商標）など）をさらに設けることとしてもよい。
【００４０】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４１】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００４２】
図１で説明したカラオケ店舗に設置されるカラオケシステムにおいて、カラオケ店舗に来店したユーザは、自己の所持する携帯端末６を使用対象となるカラオケシステムのリモコンとして機能させることを可能としている。そのため、本実施形態のカラオケ管理システムでは、ユーザが所持する携帯端末６と、使用対象となるカラオケシステムを対応付ける対応付け処理を行う。ここで、本実施形態におけるカラオケ管理システムとは、サーバ装置５と、携帯端末６で実行可能なプログラムと、少なくともカラオケ装置２を有するカラオケシステムと、を含んで構成されている。ユーザが所持する携帯端末６はカラオケ管理システムに含まれない。
【００４３】
では、携帯端末６をカラオケ装置２のリモコンとして機能させるための対応付け処理の一例を紹介する。なお、対応付け処理には、ここで紹介する例の他に各種形態が存在する。本発明では、ユーザが所持する携帯端末６と使用対象となるカラオケシステムとを対応付ける対応付け処理であれば、様々な形態の対応付け処理を採用できるものであって、利用通信環境や、サーバ装置５の使用有無等の各種条件を問うものではない。
【００４４】
図３には、本実施形態のカラオケ管理システムにおける対応付け処理を示すフロー図が示されている。また、図４には、カラオケ管理システムにおける対応付け処理を示す模式図が示されている。本実施形態の対応付け処理は、ユーザが使用対象となるカラオケシステムにログインするとともに、同じアカウントを使用して携帯端末６でログインすることでユーザの携帯端末６とカラオケシステムとの対応付けを行うこととしている。
【００４５】
カラオケ店舗に来店したユーザは、リモコン装置１等の入力手段を使用して、自分のアカウント情報を入力する（Ｓ３０１）。カラオケシステムは、アカウント情報の入力に基づき、サーバ装置５に対して装置側ログイン要求を送信する（Ｓ３０１）。なお、この装置側ログイン要求には、どのカラオケシステムからの要求であるかを特定するため、カラオケ装置ＩＤ（カラオケ装置識別情報）が含まれている。装置側ログイン要求を受信（Ｓ２０１）したサーバ装置５は、受信した端末側ログイン要求に含まれるアカウント情報を利用して認証を行う（Ｓ２０２）。認証は、アカウント情報に含まれるユーザＩＤとパスワードの対が、サーバ装置５側の記憶部５１に記憶しているものと一致するか否かで行われる。認証に成功した場合（Ｓ２０３：Ｙｅｓ）、要求のあったカラオケシステムに対してログイン完了を通知する（Ｓ２０４）。ログインが完了したカラオケシステムでは、ログインしたユーザに対応するユーザ情報を使用した各種サービスを受けることが可能となる（Ｓ３０２）。一方、認証に失敗した場合（Ｓ２０３：Ｎｏ）には、サーバ装置５は、要求のあったカラオケシステムに対して認証エラー情報を送信する。
【００４６】
サーバ装置５は、カラオケシステムからのログインに成功した場合、記憶部５１に記憶している対応付けテーブルにカラオケ装置ＩＤとユーザＩＤとを追加する（Ｓ２０５）。この対応付けテーブルにて、サーバ装置５側では、どのユーザがどのカラオケシステムにログインしているかを判別することが可能となる。
【００４７】
一方、ユーザは、自分が所持する携帯端末６において、プログラムを起動し、端末側ログイン要求をサーバ装置５に送信する（Ｓ１０１）。この端末側ログイン要求には、ユーザのアカウント情報（ユーザＩＤとパスワード）が含まれている。端末側ログイン要求を受信したサーバ装置５は、装置側ログイン要求の場合と同様、受信した端末側ログイン要求に含まれるアカウント情報を利用して認証を行う（Ｓ２０６）。認証に成功した場合（Ｓ２０７：Ｙｅｓ）、サーバ装置５は、記憶部５１に記憶している対応付けテーブルに、端末側ログイン要求を行ったユーザのユーザＩＤがあるか否かを判定し、当該ユーザＩＤが有る場合（Ｓ２０８：Ｙｅｓ）、携帯端末６とカラオケシステムとの対応付けを完了する（Ｓ２０９）。そして、要求のあった携帯端末６に対応付け完了通知を送信する（Ｓ２１０）。対応付けの完了した携帯端末６では、対応付けられたカラオケシステムを遠隔操作する遠隔操作処理（Ｓ１１０）が実行可能となる。
【００４８】
以上、本実施形態の対応付け処理について説明を行ったが、装置側ログイン要求と端末側ログイン要求は、どちらが先にあるかを問うものではない。次に、対応付けられた携帯端末６において実行される遠隔操作処理（Ｓ１１０）の詳細について説明を行う。
【００４９】
図５は、本実施形態のカラオケ管理システムにおける遠隔操作処理を示すフロー図であり、図６は、本実施形態のカラオケ管理システムにおける遠隔操作処理を示す模式図である。図６の模式図の例に示されるように、ユーザ（ユーザＡ）が所持する携帯端末６と、当該ユーザが使用対象とするカラオケ装置２（カラオケ装置ａ）と、が対応付けられたカラオケ管理システムでは、携帯端末６からカラオケシステムに対して、楽曲の予約等、カラオケシステムを遠隔操作するための各種コマンド情報を送信することが可能である。
【００５０】
遠隔操作処理は、対応付け処理の完了後、Ｓ４０１〜Ｓ４０３の処理を繰り返し実行することで、携帯端末６によるカラオケシステムの操作を行う。図７には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００５１】
本実施形態の楽曲確認画面には、歌唱する際、撮影を許可するか否かを指定する撮像設定ボタンが設けられており、撮像設定ボタンを操作することで、撮像を許可する許可状態と、撮像を禁止する禁止状態に設定することが可能となっている。予約情報には、この撮像設定欄の設定状態を示す禁止フラグが含まれる。撮像設定欄では、このような形態のほか、選曲したユーザが撮像を積極的に要求するための要求状態に設定できてもよい。この場合、撮像設定は、要求、許可、禁止の３つを設定できる仕様となっている。要求は、ユーザがどうしても自らを撮像してほしい場合に設定し、許可は、ユーザが撮像されても、撮像されなくても良い場合に設定し、禁止は、ユーザがどうしても撮像してほしくない場合に設定する。
【００５２】
携帯端末６では、楽曲確認画面上、予約ボタン６０３をタッチ操作する等の行為により、コマンド入力があったことを判定した場合（Ｓ４０１：Ｙｅｓ）、サーバ装置５に対して送信コマンド情報を送信する（Ｓ４０２）。送信コマンド情報には、コマンド入力に対応するコマンド（コマンドＡ）と、携帯端末６に記憶しているユーザＩＤ（ユーザＡ）が含まれている。
【００５３】
サーバ装置５は、対応付けテーブルに基づいて転送処理を実行する。転送処理では、まず、対応付けテーブル上に、携帯端末６から送られてきた送信コマンド情報内のユーザＩＤ（ユーザＡ）が存在するか否かを判定する。対応付けテーブル上に、送信コマンド情報内のユーザＩＤがある場合、転送対象となるカラオケ装置２に対して転送コマンド情報を送信する。転送コマンド情報には、送信コマンド情報内のコマンド（コマンドＡ）と、宛先としてのカラオケ装置ＩＤ（カラオケ装置ａ）と、コマンドを入力したユーザのユーザＩＤ（ユーザＡ）が含まれている。転送コマンド情報を受信したカラオケ装置２（カラオケ装置ａ）は、転送コマンド情報に含まれるコマンド（コマンドＡ）に従って処理を実行する。
【００５４】
携帯端末６を使用した遠隔操作処理は、携帯端末６において終了指示（ログアウト、あるいは、対応付け解除の指示）が入力される（Ｓ４０３：Ｙｅｓ）まで、繰り返し実行される。終了指示が入力された場合（Ｓ４０３：Ｙｅｓ）、携帯端末６は、サーバ装置５に対応付け解除指示を送信する（Ｓ４０４）。対応付け解除指示を受信したサーバ装置５は、対応付けテーブルから該当する項目（カラオケ装置ＩＤとユーザＩＤの対）を削除する。
【００５５】
本実施形態では、ユーザはカラオケシステムにもログインしているため、リモコン装置１を使用した遠隔操作処理を行うことが可能である。図８には、カラオケシステムにログインした際、リモコン装置１のタッチパネルモニタ１１に表示される楽曲確認画面が示されている。ユーザのログイン状況は、画面の上部に常時、表示される。複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用した楽曲予約が行われている状態である。
【００５６】
ユーザが楽曲検索後、１の楽曲を指定することで、この楽曲確認画面に遷移する。楽曲確認画面には、指定された楽曲について、楽曲名、歌手名、歌い出しなどが表示され、ユーザは、自分が歌唱する楽曲に間違いが無いか否かを確認することが可能である。楽曲確認画面に表示される予約ボタン１１３を操作した場合、楽曲識別情報（楽曲ＩＤ）とアクティブユーザのユーザ識別情報（ユーザＩＤ）を含んだ予約情報が、カラオケ装置２に送信される。携帯端末６の楽曲確認画面と同様、本実施形態では、歌唱する際、撮影を許可するか否かを指定する撮像設定欄が設けられており、変更ボタンを操作することで、撮像を許可する許可状態と、撮像を禁止する禁止状態に設定することが可能となっている。予約情報には、この撮像設定欄の設定状態を示す禁止フラグも含まれる。なお、撮像設定欄では、図７に示す携帯端末６の場合と同様、ユーザが撮像を積極的に要求するための要求状態に設定することを可能としてもよい。
【００５７】
図９には、携帯端末６、もしくは、リモコン装置１から送信された予約情報が記憶管理される予約テーブルが示されている。この予約テーブルに示されるように、予約情報は、楽曲識別情報（楽曲ＩＤ）、予約を行ったユーザのユーザＩＤである予約ユーザＩＤ、禁止フラグ（空欄は許可状態、「１」は禁止状態を示す）が含まれている。なお、撮像の要求設定が可能な場合は、予約情報は、要求フラグがさらに含まれている。禁止フラグが空欄（許可状態）である予約楽曲のうち、要求設定がされた予約楽曲の要求フラグ欄に「１」が設定される。予約情報を受信した際、カラオケ装置２は、予約情報に予約識別情報（予約ＩＤ）と、開始予定時刻を付与する。予約ＩＤは、各予約情報を識別するために付与された情報であり、予約の順番が識別可能なように構成されている。本実施形態では、末尾４桁がシリアル番号となっており、新たに追加された予約情報には、最後のシリアル番号に１が加算される。また、本実施形態では、例えば、上位の桁をカラオケ装置ＩＤ、下位の桁をシリアル番号で構成することで、他のカラオケ装置２の予約ＩＤと区別することが可能となっている。開始予定時刻は、各予約情報で予約された楽曲が再生開始される予定時刻であり、現在の時刻、前に予約されている楽曲の再生時間等を使用して算出される。
【００５８】
リモコン装置１の操作により、入力された予約情報等のコマンド（コマンドＢ）は、ユーザＩＤ（ユーザＡ）と一緒に、コマンド情報としてカラオケ装置２に送信される。コマンド情報を受信したカラオケ装置２（カラオケ装置ａ）は、コマンド情報に含まれるコマンド（コマンドＢ）に従って処理を実行する。
【００５９】
このように本実施形態では、ユーザがログインしたカラオケシステム、あるいは、携帯端末から、使用対象となるカラオケシステムに対する遠隔操作を行うことが可能である。では、ユーザがログインしたカラオケシステムにおいて、カラオケ装置２で行われるメイン処理について説明を行う。
【００６０】
本実施形態では、ユーザが所持する携帯端末６を使用して、歌唱するユーザを撮像することを可能としている。現在、カラオケ装置２では、撮像手段としてのカメラを備えた機種もあるが、撮像機能を有していない機種、あるいは、撮像機能は有しているものの店舗の都合上、カメラが接続されていないカラオケ装置がある。従来、このようなカラオケ装置２では、歌唱の様子を撮影し、投稿を行うはできなかったが、本実施形態では、ユーザの所持する携帯端末６を使用して撮像を行うことで、撮像できないカラオケ装置２であっても、投稿など、撮像機能を使用したサービスを使用することを可能としている。また、カラオケ装置２に接続されるカメラ、すなわち、カラオケ店舗側で用意しているカメラは、所定の位置に固定されており、撮像アングル等を選択することができないが、本実施形態では、ユーザが所持する携帯端末６を使用することで、自由な撮像アングルで撮像することが可能となっている。
【００６１】
本実施形態では、携帯端末６で撮像された撮像情報と、カラオケ装置２でユーザの歌唱音声信号を録音した得られた録音情報を対応付けることで映像作品情報を形成することとしている。ここで、録音情報は、カラオケ装置２において、歌唱用マイク４４ａ、４４ｂから入力された歌唱音声信号を使用しているため、高音質なものとすることが可能である。したがって、本実施形態では、自由度の高い撮像アングルで撮像情報、及び、高音質な録音情報を組み合わせた映像作品情報を形成することが可能となっている。
【００６２】
では、カラオケ管理システムにおける映像作品情報の形成について説明を行う。図１０には、携帯端末６で実行される撮像指定処理のフロー図が示されている。本実施形態では、カラオケシステムと対応付けられている携帯端末６において、図９の予約テーブルを参照し、事前に撮像する対象となる予約情報を指定することが可能となっている。本実施形態の撮像指定処理は、ユーザの所持する携帯端末６において実行される。携帯端末６で実行しているプログラムでは、予約確認指示が入力された場合（Ｓ５０１：Ｙｅｓ）、カラオケ装置２に対して予約テーブルを要求し（Ｓ５０２）、カラオケ装置２から受信（Ｓ５０３）した予約テーブルに基づいて予約一覧画面を表示する（Ｓ５０４）。なお、予約テーブル等、携帯端末６とカラオケ装置２間における各種情報の送受信は、図６で説明したコマンドの送受信と同じように、サーバ装置５を経由して行われる。サーバ装置５は、対応付けテーブルを参照し、カラオケ装置２から送信された情報を対応付けられている携帯端末６に、あるいは、携帯端末６から送信された情報を対応付けられているカラオケ装置２に転送する。
【００６３】
図１１には、携帯端末６のタッチパネル表示部６８に表示された予約一覧画面が示されている。予約一覧画面は、図９の予約テーブルを使用して形成されており、本実施形態の予約一覧画面には、現在、再生中の楽曲について、その楽曲名、歌手名、及び、予約ユーザ名が表示された再生楽曲表示欄６０４、及び、予約されている楽曲について、その楽曲名、歌手名、及び、予約ユーザ名が表示された予約楽曲表示欄６０５が表示されている。予約楽曲表示欄６０５では、各予約楽曲は予約順に表示されている。また、予約楽曲表示欄６０５には、撮像可能な予約楽曲について撮像ボタンが設けられている。ユーザは、撮像したい予約楽曲の撮像ボタンを操作することで、当該予約楽曲に対する撮像予約を行うことが可能となっている。
【００６４】
ところで、歌唱するユーザは、自己の歌唱を撮像することは困難である。したがって、本実施形態では、自分の予約した予約楽曲については、撮像指定することのないよう、撮像ボタンを表示させないこととしている。図１１の例は、ユーザＡの携帯端末６での予約一覧画面であり、ユーザＡにより予約された楽曲名Ｄと、楽曲名Ｇの予約楽曲については、撮像ボタンを表示させていない。なお、ユーザＡにより予約された予約楽曲についても、撮像指定することができるようにしてもよい。この場合、楽曲名Ｂや楽曲名Ｅと区別できるよう、撮影ボタンに表示された文言を、「撮影する」ではなく、「自撮り」（自分で撮影すること）、などに変更することで、自分が歌唱する楽曲を選択した場合、自分で撮影することを識別することが可能となる。また、図７、図８で説明したように予約確認画面では、撮像の許可、禁止を指定することが可能である。この撮像の許可、禁止の指定は、予約テーブル中の禁止フラグとして記録されている。本実施形態では、歌唱するユーザが撮像を禁止している場合、撮像指定することができないように、撮像ボタンをグレイアウトさせ、禁止の表示に変更している（図１１の楽曲名Ｃと、楽曲名Ｆの予約楽曲）。このほか、積極的に撮像してほしいユーザが設定する要求フラグが設定されている予約楽曲がある場合は、予約テーブル中で他の楽曲名よりも目立つように、楽曲名が表示されている欄の色を金色や赤色に変更する、欄自体を他の予約楽曲の欄よりも大きくする、といった処理を実行してもよい。
【００６５】
この予約一覧画面において、撮像ボタンが操作され、撮像指定が行われた場合（Ｓ５０５：Ｙｅｓ）、携帯端末６は、予約テーブル中、指定された予約情報を撮像指定情報として記憶部６３に記憶する（Ｓ５０６）。そして、どの予約楽曲が指定されたかを対応付けられているカラオケ装置２に通知する（Ｓ５０７）。カラオケ装置２に対する通知は、予約テーブル中の予約ＩＤ、及び、撮像指定を行ったユーザのユーザＩＤをカラオケ装置２に送信することで行われる。通知を受信したカラオケ装置２では、撮像指定された予約楽曲に対応する予約情報について、録音フラグを「１」に変更すると共に、撮像指定を行ったユーザＩＤを撮像ユーザＩＤとして登録する。予約一覧画面中の左下に表示されるトップ画面ボタン復帰ボタンを操作する等、ユーザによる予約一覧画面の表示終了が入力された場合（Ｓ５０８：Ｙｅｓ）、撮像指定処理を終了する。
【００６６】
以上、予約一覧画面において、撮像対象とする予約楽曲を指定する撮像指定処理について、携帯端末６で行う場合について説明を行ったが、この撮像指定処理は、リモコン装置２等、カラオケシステム側の入力手段を使用して行うことも可能である。なお、カラオケシステムを利用した場合、携帯端末６を使用していないユーザに対しては、携帯端末６で説明したような撮像ボタンを表示させない等、全ての予約楽曲に対する撮像指定ができないようにすることが好ましい。
【００６７】
図１２は、カラオケ装置２で実行される楽曲再生処理を示すフロー図である。楽曲再生処理では、カラオケ装置２は、予約テーブルを参照し、次に再生させる楽曲の有無が判定される（Ｓ６０１）。予約テーブル中、次に再生させる楽曲がある場合（Ｓ６０２：Ｙｅｓ）、予約情報中の録音フラグを確認し、録音フラグがある（「１」である）場合（Ｓ６０３：Ｙｅｓ）には、楽曲再生を開始する（Ｓ６０４）と共に、歌唱用マイク４４ａ、４４ｂに入力される歌唱音声信号を録音する録音処理を開始する（６０５）。楽曲の再生が終了した場合（Ｓ６０６：Ｙｅｓ）、録音処理の録音で得られた録音情報を含むカラオケ録音情報をサーバ装置５に送信する（Ｓ６０７）。図１４（Ａ）には、カラオケ装置２で形成するカラオケ録音情報のデータ構成が示されている。カラオケ録音情報は、録音対象となった楽曲の予約ＩＤ、歌唱音声信号を録音した録音情報、録音開始日時、時間等、録音処理のタイミングを示す録音時間、撮像を行うユーザを示す撮像ユーザＩＤ等、を含んで構成されている。
【００６８】
一方、次に再生させる楽曲について、その予約情報中に録音フラグがない場合（Ｓ６０３：Ｎｏ）には、録音処理は行わず、予約楽曲の再生を開始し（Ｓ６０８）、楽曲の再生が終了した場合（Ｓ６０９：Ｙｅｓ）には、次の予約楽曲に対する処理を行う。
【００６９】
このように、カラオケ装置２では、映像作品情報の音声を形成する録音処理が実行される。一方、撮像を指定した携帯端末６では、映像作品情報の映像を形成する撮像処理が実行される。図１３には、携帯端末６で実行される撮像処理を示すフロー図が示されている。本実施形態の撮像処理では、撮像指定処理において、携帯端末６に記憶させた（Ｓ５０６）、撮像指定情報を使用して、撮像対象となる予約楽曲を特定している。また、本実施形態では、撮像を指定した予約楽曲が再生開始される前に、携帯端末６を所持するユーザに対して撮像開始の通知を行うこととしている。撮像指定情報を参照（Ｓ７０１）、撮像指定した予約楽曲の再生開始１分前になると（Ｓ７０２：Ｙｅｓ）、携帯端末６では、ユーザに対して撮像開始の予告を通知する（Ｓ７０３）。撮像開始の予告通知は、予約テーブルに記録された開始指定時刻を使用する形態の他、カラオケ装置２から開始予告通知を携帯端末６に対して送信することで判定することが可能である。
【００７０】
開始予告通知は、携帯端末６のスピーカ６７ａからアラーム音を鳴動させることとしてもよいが、歌唱中の場合にはアラーム音が聞き取れない、あるいは、歌唱の妨げになることが考えられるため、携帯端末６のバイブレータ機能を動作させる、あるいは、タッチパネル表示部６８等に表示を行うなど、他の形態を採用することが好ましい。
【００７１】
また、本実施形態では、通知に合わせて、携帯端末６の撮像機能を起動し、撮像画面を表示させることとしている（Ｓ７０４）。予約楽曲の再生開始前に、携帯端末６の撮像機能を起動しておくことで、撮像するユーザは、いち早く歌唱するユーザの撮像に対応することが可能となる。図１５には、携帯端末６で撮像機能を起動したときの撮像画面の一例が示されている。撮像画面には、リアカメラ６５Ｒで撮像している映像を表示するライブビューエリア６０７、撮像対象となる予約楽曲に関する情報（この例では、ユーザ名、楽曲名、）を表示する撮像楽曲関連情報表示欄６０８、撮像を指示する撮像ボタン６０９が表示されている。
【００７２】
本実施形態では、携帯端末６で撮像する撮像情報は、静止画としている。なお、撮像情報は、動画、あるいは、静止画と動画を選択して撮像可能としてもよい。撮像ボタン６０９を操作することで、携帯端末６に撮像指示が入力された場合（Ｓ７０５：Ｙｅｓ）、携帯端末６は、リアカメラ６５Ｒで撮像された撮像情報を記憶（Ｓ７０６）し、携帯撮像情報を形成し、記憶部６３に記憶する（Ｓ７０７）。図１４（Ｂ）には、携帯撮像情報のデータ構成が示されている。携帯撮像情報は、撮像対象となった楽曲の予約ＩＤ、撮像情報、撮像開始日時、時間等、撮像タイミングを示す撮像時間、撮像を行ったユーザのユーザＩＤである撮像ユーザＩＤを含んで構成されている。
【００７３】
本実施形態では、映像作品情報を形成するため、撮像情報と録音情報とを対応付けるメタ情報として、予約ＩＤを使用している。撮像情報は、携帯端末６で得られるのに対し、録音情報は、カラオケ装置２で得られるため、映像作品情報を形成するには、メタ情報で両者の対応関係を特定する必要がある。メタ情報としては、このように予約ＩＤを使用する形態の他、録音情報にメタ情報としてのカラオケ装置ＩＤと録音時間を付帯させ、撮像情報にメタ情報としてのカラオケ装置ＩＤと撮像時間を付帯させて、対応関係を特定することとしてもよい。この他、同じ予約楽曲について、撮像情報と録音情報の対応関係を特定できるメタ情報であれば、各種形態のものを使用することが可能である。
【００７４】
ユーザは、撮像ボタン６０９の操作による撮像を、楽曲再生が終了するまで（Ｓ７０８：Ｙｅｓ）行うことが可能である。なお、楽曲再生の終了は、予約テーブルに終了指定時刻を含ませておく、あるいは、カラオケ装置２から終了通知を携帯端末２に対して送信することで判定することが可能である。
【００７５】
撮像対象となった予約楽曲について、その楽曲再生処理と、撮像処理が終了した後、映像作品情報を形成する映像作品形成処理を行うことが可能となる。映像作品情報は、ある予約楽曲についてカラオケ装置２で録音された録音情報と、当該予約楽曲について携帯端末６で撮像された撮像情報を対応付けて形成されるものであり、歌唱時の歌唱音声と歌唱の様子を視聴可能とするものである。本実施形態では、映像作品形成処理を、撮像を行った携帯端末６において実行することとしている。映像作品形成処理は、このように携帯端末６において行う以外に、カラオケ管理システムを構成するサーバ装置５、あるいは、カラオケシステム（カラオケ装置２を含んで構成されている）、あるいは、撮像を行った以外の携帯端末６で行う形態、あるいは、携帯端末６、サーバ装置５、カラオケシステムが連携して行う形態を使用することが可能である。
【００７６】
図１６には、携帯端末で実行される映像作品形成処理を示すフロー図が示されている。また、図１７には、映像作品形成処理について説明するための模式図が示されている。本実施形態では、撮像対象となった予約楽曲について、楽曲再生処理と、撮像処理の終了後、携帯端末６から映像作品形成の指示があった場合、映像作品情報を形成する映像作品形成処理が実行される。
【００７７】
携帯端末６では、複数の予約楽曲に対して撮像処理を行っている場合も考えられる。そのため、映像作品形成処理では、どの予約楽曲について、映像作品形成処理を実行するのか指定可能とすることが好ましい。なお、撮像処理に引き続いて映像作品形成処理を実行することも考えられるが、この場合には、予約楽曲を指定する必要はない。映像作品形成処理が開始すると、対象となる予約楽曲のカラオケ録音情報をサーバ装置５に要求する（Ｓ８０１）。カラオケ録音情報の要求には、対象となる携帯撮像情報の予約ＩＤと撮像ユーザＩＤが含まれている。図１７に示されているように、カラオケ装置２は、楽曲再生処理においてカラオケ録音情報をサーバ装置５に送信済みである（Ｓ６０７、図１７の第１の丸）。サーバ装置５は、携帯端末６から受信した予約ＩＤ及び撮像ユーザＩＤに対応するカラオケ録音情報を検索し、要求のあった携帯端末６に送信する（Ｓ８０２、図１７の第２の丸）。そして、対象となる携帯撮像情報を記憶部６３から読み出し（Ｓ８０３）、携帯撮像情報中の撮像情報と、カラオケ録音情報中の録音情報を対応付けることで、映像作品情報を形成する（Ｓ８０４、図１７の第３の丸）。
【００７８】
図１９には、映像作品情報の各種形態が示されている。図１９（Ａ）は、携帯端末６で撮像する撮像情報に静止画を使用した場合であり、本実施形態に相当している。映像作品情報は、撮像情報と録音情報を対応付けることで形成される。なお、録音情報は、歌唱用マイク４４ａ、４４ｂで録音された歌唱音声信号であるため、楽曲情報による演奏音は含まれていない。そのため、映像作品情報には、楽曲情報による演奏音を含めて形成することとしてもよい。例えば、楽曲情報による演奏音は、サーバ装置５から映像作品情報を形成する携帯端末６に送信する、あるいは、サーバ装置５において、録音情報に演奏音を重ね録りすることが考えられる。あるいは、録音処理において、歌唱音声信号と楽曲情報の再生音による演奏音を一緒に録音する形態としてもよい。
【００７９】
録音情報の再生時間の進行に同期して、撮像情報Ｐ１〜Ｐ６が表示再生される。静止画を使用した場合、スライドショー形式で再生が行われることになる。本実施形態では、映像作品情報の再生開始時に、タイトル情報Ｑを表示させることとしている。タイトル情報Ｑには、楽曲名、ユーザ名、歌唱した時間（日時、時刻）等、歌唱に関する各種情報が表示される。本実施形態では、カラオケ録音情報に含まれる録音時間（録音処理の開始タイミング等を示す情報）と、携帯撮像情報に含まれる撮像情報（撮像タイミングを示す情報）に基づいて、録音情報と撮像情報を対応付けている。図１９（Ａ）の場合、録音時間はＴ１に相当しており、録音情報の進行に伴い、Ｔ２〜Ｔ６を判定することが可能である。一方、各撮像情報の撮像時間はｔ１〜ｔ６である。撮像時間ｔ１〜ｔ６を、録音情報の時間進行上、同じ時刻Ｔ１〜Ｔ６付近に配置することで、実際の歌唱の様子に近い映像作品情報を形成することが可能である。本実施形態では、撮像情報Ｐ２〜Ｐ６の撮像時間ｔ２〜ｔ６を、録音時間Ｔ２〜Ｔ６に一致させている。先頭の撮像情報Ｐ１については、録音情報の開始時Ｔ１に一致させており、映像作品情報の開始時に映像が表示されないことのないようにしている。
【００８０】
図１９（Ａ）では、撮像情報として静止画を使用する形態について説明を行ったが、撮像情報には動画を使用することも可能である。図１８（Ｂ）には、動画を使用した場合の映像作品情報について、録音情報と撮像情報の対応付け例が示されている。撮像情報に動画を使用する場合には、歌唱するユーザの口の動き等を同期させるため、録音情報と撮像情報は同期して表示させることが好ましい。図１８（Ｂ）の例は、録音情報の録音時間Ｔ０と、撮像情報の撮像時間ｔ０が略同時となる場合であり、Ｔ０とｔ０が一致するようにすることで、映像と音声が同期した歌唱の様子を再現することが可能となる。なお、撮像情報に動画を使用する場合、楽曲の再生から終了まで映像と音声が同期させることが好ましい。したがって、動画を撮像する撮像処理では、携帯端末６において、楽曲の再生開始、終了に同期して、動画の撮像を開始、終了するようにしてもよい。また、図１９（Ｂ）の場合、１つの楽曲を通じて、１つの撮像情報としているが、複数の撮像情報を使用することも可能である。その場合、各撮像情報の間に撮像されていない期間が生じることが考えられる。その場合、撮像情報から抽出した静止画を表示する等して、撮像されていない期間を補うことが考えられる。また、撮像処理では、動画と静止画とを選択して撮像することが可能な場合、映像作品情報には、動画と静止画が混在して表示されることとしてもよい。
【００８１】
このように、撮像情報と録音情報を対応付けることで形成された映像作品情報が完成した場合、ユーザは、完成した映像作品情報を携帯端末６で再生し、確認するプレビュー処理（Ｓ８０６）を行うことが可能である。また、本実施形態では、完成した映像作品情報を、他のユーザに対して公開する投稿処理を行うことが可能である。投稿が選択された場合（Ｓ８０７：Ｙｅｓ）、携帯端末６は、サーバ装置５に対して完成した映像作品情報を送信する（Ｓ８０８）。サーバ装置５では、受信した映像作品情報を、インターネットを介して広く公開することが可能である。なお、この投稿処理において、公開対象となるユーザは、広く一般に公開する形態の他、ユーザを指定して公開することとしてもよい。あるいは、歌唱に参加したユーザ（図１１の場合、ユーザＡ〜Ｃ）が視聴可能とし、内輪で楽しむ形態としてもよい。
【００８２】
上述の実施形態では、携帯端末６で映像作品情報を形成する形態について説明を行ったが、映像作品情報の形成は、このような形態に限られるものではなく、カラオケ管理システム中の各種構成を使用して行うことが可能である。図１８には、サーバ装置５において映像作品情報を形成する形態が示されている。この場合、カラオケ装置２の録音により得られたカラオケ録音情報は、サーバ装置５に送信される（図１８の第１の丸）。また、携帯端末６での撮像により得られた携帯撮像情報も、サーバ装置５に送信される（図１８の第２の丸）。サーバ装置５では、受信したカラオケ録音情報、携帯撮像情報に付与されている予約ＩＤを使用して、両者を対応付け、映像作品情報を形成する（図１８の第３の丸）。サーバ装置５で形成された映像作品情報は、そのままインターネットを介して公開する、携帯端末６やカラオケシステムにダウンロードする等して視聴することが可能である。
【００８３】
以上、説明したように映像作品情報の形成は、撮像処理を行った携帯端末６（図１７の例）、あるいは、サーバ装置５（図１８の例）で行うことが可能である。この他、撮像情報を行っていない携帯端末６、あるいは、カラオケシステム（カラオケ装置２あるいはリモコン装置１）で行うこととしてもよい。更には、カラオケ管理システムの構成において、処理を分散して行うことも考えられる。
【００８４】
また、本実施形態では、１台の携帯端末６で撮像した撮像情報を使用して、映像作品情報を形成することとしているが、図１７に示すように複数台の携帯端末６を使用している場合には、各携帯端末６で撮像した撮像情報を使用して、１の映像作品情報を形成することとしてもよい。このような場合、各携帯端末６で撮像した複数の撮像情報と、カラオケ装置２で録音された録音情報を対応付けることで映像作品情報が形成される。
【符号の説明】
【００８５】
１ａ、１ｂ…リモコン装置                     ５…サーバ装置
１１…タッチパネルモニタ                     ５１…記憶装置
１１ａ…表示部                               ６…携帯端末
１１ｂ…タッチパネル                         ６１…制御部
１２…ビデオＲＡＭ                           ６２…ＲＡＭ
１３…映像制御部                             ６３…記憶部
１４…メモリ                                 ６４…画像制御部
１５…ＣＰＵ                                 ６５Ｆ…フロントカメラ
１６…無線ＬＡＮ通信部                       ６５Ｒ…リアカメラ
１７…操作部                                 ６６…音響処理部
１８…操作処理部                             ６７ａ…スピーカ
１９…赤外線通信部                           ６７ｂ…マイクロホン
２…カラオケ装置（コマンダ）                 ６８…タッチパネル表示部
２１…操作部                                 ６８ａ…タッチパネル
２２…操作処理部                             ６８ｂ…表示部
２３…赤外線通信部                           ６９ａ…携帯網通信部
２４…ＬＡＮ通信部                           ６９ｂ…無線ＬＡＮ通信部
２５…音響制御部                             ７０…入力スイッチ
２７…メモリ                                 ７１…外部入力端子
２８…ビデオＲＡＭ                           ４１…モニタ
２９…映像再生部                             ７２…外部メモリ接続端子
３０…制御部                                 ８１…音響制御部
３１…映像制御部                             ８２…スピーカ
３２…ＨＤＤ（ハードディスク）               １００…ＬＡＮ
４２…スピーカ                               １１０…アクセスポイント
４４ａ、４４ｂ…歌唱用マイク（マイクロホン） １２０…ルータ
【図１】
0006315475.tif 000002
【図２】
0006315475.tif 000003
【図３】
0006315475.tif 000004
【図４】
0006315475.tif 000005
【図５】
0006315475.tif 000006
【図６】
0006315475.tif 000007
【図７】
0006315475.tif 000008
【図８】
0006315475.tif 000009
【図９】
0006315475.tif 000010
【図１０】
0006315475.tif 000011
【図１１】
0006315475.tif 000012
【図１２】
0006315475.tif 000013
【図１３】
0006315475.tif 000014
【図１４】
0006315475.tif 000015
【図１５】
0006315475.tif 000016
【図１６】
0006315475.tif 000017
【図１７】
0006315475.tif 000018
【図１８】
0006315475.tif 000019
【図１９】
0006315475.tif 000020